(57)【要約】【課題】要求される配置等に応じてそれぞれ係合部材を用意することなく、様々な配置で容易且つ正確にコイン投出装置を設置できるようにする。【解決手段】装置本体が有するスタンド上にコインを貯留するホッパが支持され、該ホッパからコインを順次レールに送り出して該レール先端部に取付けられている投出部により所定の方向に投げ出すコイン投出装置において、前記スタンド１０を、対向配置された２つのメインフレーム１２、１４と、該両メインフレームの前端部及び後端部に着脱可能に取付けられた、前記装置本体を設置する位置に設けられた被係合部に係合可能なＬ字形状の係合部２４を有する共通の係合部材１６、１８とを備えた構成とした。【選択図】図１
2006338537.tif 000002
【特許請求の範囲】
【請求項１】
装置本体が有するスタンド上にコインを貯留するホッパが支持され、該ホッパからコインを順次レールに送り出して該レール先端部に取付けられている投出部により所定の方向に投げ出すコイン投出装置において、
前記スタンドを、対向配置された２つのメインフレームと、該両メインフレームの前端部及び後端部に着脱可能に取付けられると共に、前記装置本体を設置する位置に設けられた被係合部に係合可能なＬ字形状の係合部を有する共通の係合部材とを備えた構成としたことを特徴とするコイン投出装置。
【請求項２】
前記Ｌ字形状の係合部が、両側端部が切り欠かれ、その両コーナ部が面取りされた形状に形成されていることを特徴とする請求項１に記載のコイン投出装置。
【発明の詳細な説明】
【技術分野】
【０００１】
本発明は、コイン投出装置、特に、両替機、遊技機等に用いられるコインを上方に連続的に投出する際に適用して好適なコイン投出装置に関する。
【背景技術】
【０００２】
従来のコイン投出装置は、例えば特許文献１又は２等に開示されている。図１３は、従来のエレベーター機能付き高所コイン投出装置の全体構成の概略を示し、（Ａ）はその正面図、（Ｂ）はその右側面図である。
【０００３】
このコイン投出装置は、コインを貯留すると共に、該コインを一枚ずつ所定位置に払い出す装置本体１００と、払い出されたコインを下から順に押上げて上昇させるための通路が形成されているレール１２１と、押上げられてきたコインを所定方向に払い出す投出部１２２とを備えている。
【０００４】
図１４は、上記コイン投出装置本体１００の右側面図である。この図に示すように、スタンド１０１に固定されたベース板１０２のベース面１０２ａ上には、コイン投出円板１０３（回転体）が設けられている。このコイン投出円板１０３は、その一方の面がベース面１０２ａに沿ってモータ１０４により回転駆動される。又、このベース面１０２ａ上にはホッパ１０５が設けられ、該ホッパ１０５には、多数枚のコインＣが投入され、貯留されている。
【０００５】
上記コイン投出円板１０３には、図示しないコイン捕捉孔が該円板１０３を貫通して複数形成され、又、この投出円板１０３のベース板１０２側の面には、コイン捕捉孔から該円板１０３の外縁にかけてコイン押出ひれ１０８が形成されている。
【０００６】
上記コイン投出円板１０３は、上記捕捉孔にコインを捕捉しながら回転するが、この回転によって捕捉された硬貨Ｃは、その一方の面でベース面１０２ａに沿って支持され、該円板１０３の回転に従ってベース面１０２ａ上を摺動しながら移動する。
【０００７】
コイン投出円板１０３に捕捉されたコインＣは、回転しながらコイン出口に案内され、装置本体１００に連結されているレール１２１の内部に形成されている通路に排出され、該通路を通して、その面を縦方向にして、上流側のコインＣで下流側のそれを突き上げる動作により、上方に位置するコイン投出部１２２に導かれるようになっている。
【０００８】
従って、上記コイン投出装置では、装置本体１００からコインＣがレール１２１に順次送出されることになる。これらコインＣはレール１２１のレールを下から順に押上げられて前記投出部１２２に到達すると、矢印で示した右方向に投出され、所定位置に供給されるようになっている。
【０００９】
前記図１３に示したコイン投出装置を、例えばゲーム機に適用した状態を図１７に概念的に示した。
【００１０】
このゲーム機１３０は、ゲーム用の画像が表示されるディスプレイと、その手前方向に延びるテーブル１３４に形成された凹部からなるコイン受取口１３６とを有している。
【００１１】
このゲーム機１３０では、幅方向範囲を二点鎖線で、対応する底面に斜線を付して示したような収容スペースが存在し、該スペースには電装やゲーム機の機構部が収容、配置されるようになっている。
【００１２】
上記のようなゲーム機１３０では、前記図１３に示したコイン投出装置を内部に設置することにより、コインＣを利用者がそれを取出す受取口１３６に投出し、供給することができる。
【００１３】
前記コイン投出装置をゲーム機等に設置する場合、土台である前記スタンド１０１を所定位置に正確に位置決めし、固定する必要がある。
【００１４】
従来、コイン投出装置全体を支持すると共に所定の設置位置に設置固定するためのスタンド１０１は、対向配置された左右のメインフレームと、該両フレームを一定の間隔に固定し、支持するための軸や、板金の支持部材で、その骨格が構成されている。
【００１５】
このようなスタンド１０１を介してコイン投出装置本体１００等を、所定位置に正確に、しかも簡便に設置固定するために、前記両メインフレームの前端又は後端の下部に、係合部を予め形成しておき、該係合部をゲーム機等の設置位置に取付けられている位置決め用の被係合部に係合させることにより、位置決めと固定とを同時に行なっていた。
【００１６】
【特許文献１】特開平６−１８０７７７号公報
【特許文献２】特開平１１−２７２９０３号公報
【発明の開示】
【発明が解決しようとする課題】
【００１７】
しかしながら、コイン投出装置の用途が拡がる等により、装置本体１００の設置には、コイン（メダル）の投出し方向や、そのコインを貯留する前記コイン受取口１３６等の貯留箱の位置関係により、様々な配置で取付・固定することが要求されるようになっており、その都度要求に合わせて係合部材を設計しなければならないため煩雑であり、その上コストがかかるという問題もあった。
【００１８】
本発明は、前記従来の問題点を解決するべくなされたもので、要求される配置等に応じてそれぞれ係合部材を用意することなく、様々な配置に容易且つ正確に設置することができるコイン投出装置を提供することを課題とする。
【課題を解決するための手段】
【００１９】
本発明は、装置本体が有するスタンド上にコインを貯留するホッパが支持され、該ホッパからコインを順次レールに送り出して該レール先端部に取付けられている投出部により所定の方向に投げ出すコイン投出装置において、前記スタンドを、対向配置された２つのメインフレームと、該両メインフレームの前端部及び後端部に着脱可能に取付けられると共に、前記装置本体を設置する位置に設けられた被係合部に係合可能なＬ字形状の係合部を有する共通の係合部材とを備えた構成としたことにより、前記課題を解決したものである。
【発明の効果】
【００２０】
本発明によれば、コイン投出装置本体のホッパを支持するスタンドを、左右のメインフレームの前端と後端に、それぞれ着脱可能なＬ字形状の係合部を有する共通の係合部材を取付けて形成するようにしたので、これら係合部材の取付方向を表裏変更するだけで、様々な設置位置の被係合部に対応することができる。
【発明を実施するための最良の形態】
【００２１】
以下、図面を参照して、本発明の実施の形態について詳細に説明する。
【００２２】
図１は、本発明に係るコイン投出装置が備えているホッパを支持するスタンドの概要を示す分解斜視図である。
【００２３】
本実施形態のスタンド１０は、主な骨格を構成する左メインフレーム１２と、右メインフレーム１４と、これら両フレームの前端に取付ける前フレーム１６と、後端に取付ける後フレーム１８と、後方上部を塞ぐカバー２０とを有し、これら各部材をねじ２２で固定することにより、図２に示すような完成された組立構造になる。
【００２４】
本実施形態では、左フレーム１２、右フレーム１４は形状は同一であるが、ねじ孔が形成されたフランジ部分の曲げ方向が逆の関係になっている。
【００２５】
一方、前フレーム１６と後フレーム１８が共通の部品からなる係合部材であり、図１に示すようにその下端部が板金加工によりＬ字形状に折り曲げられて係合部２４が形成されている。
【００２６】
又、これら前後の両フレーム１６、１８は、左右の両メインフレーム１２、１４に長孔２５を介してねじ２２で固定されており、係合部２４の高さをそれぞれ調整可能になっている。
【００２７】
更に、これら前後の両フレーム１６、１８は、左右対称であるため、表裏いずれの側でも取付可能である。従って、両フレーム１６、１８の取付方向の違いにより、前後共係合部２４を内側に向けた図３、後フレーム１８の係合部２４を外側にした図４、逆に前フレーム１６の係合部２４を外側にした図５、前後共外側にした図６のような組立が可能となる。
【００２８】
従って、本実施形態によれば、図３〜図６の４種類の係合部２４の組合せ毎に、それぞれ前記図１３、１４に示した場合と同様の装置本体１００の設置方法を選択することが可能となる。
【００２９】
例えば、図４のように後フレーム１８の係合部２４を外側に向けた組立の場合は、ゲーム機等の床に相当する設置台３０に後側を密着固定された被係合部３２の前側に形成されている狭い間隙部３２Ａに、スタンド１０自体を左右のガイドを兼ねたストッパ３４の間を矢印方向に摺動させつつ、前記係合部２４を嵌入させ、係合することにより、図８に示すように該スタンド１０を位置決めすると同時に固定することが可能となる。その際、係合部２４は、両端側を切り欠いて幅を狭くし、且つそのコーナ部を面取りした形状になっているため、間隙部３２Ａに容易に嵌入させることができる。
【００３０】
このように設置したスタンド１０に、ホッパ２６やレール２８を取付けることにより、図９に示すような完成された状態にできる。なお、この場合、前フレーム１６側を更にストッパ（図示せず）で固定することにより、更に確実に固定することが可能となる。
【００３１】
又、前記図６に示したような前後フレーム１６、１８がいずれも係合部２４を外側に向けて組み立てた場合には、図１０に示すように設置台３０の前方と後方に、それぞれ間隙部３２Ａを内側に向けて被係合部３２を固定すると共に、右側にストッパ３４を取付け、スタンド１０を矢印で示す横方向に移動させることにより、前後の係合部２４を各間隙部３２Ａに嵌入、係合させると共に、ストッパ３４で位置決めして固定することができる。これにより、図１１の斜視図、図１２の左側面図に示すように、容易且つ正確に位置決め固定することが可能となる。
【００３２】
又、図示は省略するが、図４、図５のように後フレーム１８の係合部２４が内側に向いている場合には、図示は省略するが被係合部３２を、前記図７とは逆に間隙部３２Ａが外側になるように設置台３０に固定し、該間隙部３２Ａに外側から係合部２４を嵌入させ、引掛けるようにして設置することもできる。更に、スタンド１０の設置の仕方は種々選択することができる。
【００３３】
以上詳述した本実施形態によれば、新たな部材を追加することなく、コイン投出装置本体を所定位置に、種々のバリエーションで設置することが可能となる。
【００３４】
なお、前記実施形態では、スタンドの形状を具体的に説明したが、本発明が適用されるスタンドは、前記実施形態に示したものに限定されない。
【図面の簡単な説明】
【００３５】
【図１】本発明に係る一実施形態のコイン投出装置に適用されるスタンドの概要を示す分解斜視図
【図２】本実施形態に適用されるスタンドの組立後の状態を示す斜視図
【図３】上記スタンドの一組立例を示す側面図
【図４】上記スタンドの他の組立例を示す側面図
【図５】上記スタンドの更に他の組立例を示す側面図
【図６】上記スタンドの更に他の組立例を示す側面図
【図７】図４の組立例のスタンドと、固定台との関係を示す斜視図
【図８】同スタンドを固定台に位置決め固定した状態を示す斜視図
【図９】図８のスタンドを使ってコイン投出装置を完成させた状態を示す斜視図
【図１０】図６の組立例のスタンドと固定台との関係を示す斜視図
【図１１】同スタンドを固定台に位置決め固定した状態を示す斜視図
【図１２】同スタンドを固定台に位置決め固定した状態を示す側面図
【図１３】従来のコイン投出装置の概略を示す正面図と側面図
【図１４】コイン投出装置の装置本体の概略を示す側面図
【図１５】従来のコイン投出装置を備えたゲーム機を概念的に示した概略斜視図
【符号の説明】
【００３６】
１０…スタンド
１２…左メインフレーム
１４…右メインフレーム
１６…前フレーム（係合部材）
１８…後フレーム（係合部材）
２０…カバー
２２…ねじ
２４…係合部
２６…ホッパ
２８…レール
３０…設置台
３２…被係合部
３２Ａ…間隙部
３４…ストッパ
【図１】
2006338537.tif 000003
【図２】
2006338537.tif 000004
【図３】
2006338537.tif 000005
【図４】
2006338537.tif 000006
【図５】
2006338537.tif 000007
【図６】
2006338537.tif 000008
【図７】
2006338537.tif 000009
【図８】
2006338537.tif 000010
【図９】
2006338537.tif 000011
【図１０】
2006338537.tif 000012
【図１１】
2006338537.tif 000013
【図１２】
2006338537.tif 000014
【図１３】
2006338537.tif 000015
【図１４】
2006338537.tif 000016
【図１５】
2006338537.tif 000017